(57)【要約】【課題】  表示パネルの冷却効果を高めて表示パネルの寿命を長くすることができる表示装置の放熱構造および表示装置の放熱方法並びに表示装置を提供する。【解決手段】  表示装置１０は、有機ＥＬパネル１１の表面１１ａとの間に第１の流路１７を形成する透明カバー１８を有する。第１の流路１７にファン２７により強制的に気体を流して有機ＥＬパネル１１の表面１１ａを冷やして、その表面１１ａの熱を逃がすので、有機ＥＬパネル１１の温度を低く抑えることができる。有機ＥＬパネル１１の背面１１ｂ側に放熱板１９を設けてあり、有機ＥＬパネル１１の表面１１ａが第１の流路１７に流れる気体により冷却されるのに加えて、その背面１１ｂが放熱板１９の放熱により冷却される。【選択図】      図４
2006227465.tif 000002
【特許請求の範囲】
【請求項１】
表示パネルを有する表示装置の放熱構造において、
前記表示パネルの表面に第１の流路を形成する流路形成手段を備え、
前記第１の流路に自然対流で或いは強制的に気体を流すように構成したことを特徴とする表示装置の放熱構造。
【請求項２】
請求項１に記載の表示装置の放熱構造において、
前記表示パネルの背面側に放熱板を設けたことを特徴とする表示装置の放熱構造。
【請求項３】
請求項２に記載の表示装置の放熱構造において、
前記放熱板に気体を流すための第２の流路を形成するとともに、前記流路形成手段が固定されて前記第１の流路を形成する通風カバーを備え、前記通風カバーは前記第１の流路に連通した前通風口と前記第２の流路に連通した後通風口とを有し、さらに、前記前通風口および後通風口から前記第１の流路および第２の流路内にそれぞれ気体を吸い込んで、前記パネルの背面と表面の両方に気体を流すファンを備えることを特徴とする表示装置の放熱構造。
【請求項４】
請求項１に記載の表示装置の放熱構造において、
前記流路形成手段は、前記表示パネルの表示領域を外部に見せるための開口部と、該開口部により形成される空間の両側に開口し、前記空間と外部とをそれぞれ連通する複数の通風口とを有し、前記表示パネルの表面に固定されるパネルカバーと、前記開口部を塞ぐように前記パネルカバーの表面に固定される透明カバーとを備え、前記開口部が前記透明カバーにより塞がれて前記空間が前記第１の流路になることを特徴とする表示装置の放熱構造。
【請求項５】
請求項４に記載の表示装置の放熱構造において、
前記流路形成手段により形成される前記第１の流路として、互いに独立した複数の空間が形成されていることを特徴とする表示装置の放熱構造。
【請求項６】
請求項１に記載の表示装置の放熱構造において、
前記流路形成手段は、矩形の環状壁部を有する筒状体で、前記環状壁部の対向する２つの壁部に吸気口がそれぞれ形成され、前記環状壁部の一方の端部が前記表示パネルの表面の周縁部に接合される通風カバーと、前記環状壁部の他方の端部に接合され、前記表示パネルの表面との間に前記環状壁部で囲まれた第１の流路を形成する透明カバーと、前記２つの壁部の一方に、該一方の壁部に形成された前記吸気口から気体を吸い込むファンと、を備えることを特徴とする表示装置の放熱構造。
【請求項７】
請求項１〜６のいずれか一つに記載の表示装置の放熱構造において、
前記表示パネルはエレクトロルミネッセンスパネルであることを特徴とする表示装置の放熱構造。
【請求項８】
請求項１〜７のいずれか一つに記載の表示装置の放熱構造を有することを特徴とする表示装置。
【請求項９】
表示パネルを有する表示装置の放熱方法において、
前記表示パネルの表面と離間して対向し、前記表面との間に第１の流路を形成し、
前記第１の流路に自然対流で或いは強制的に気体を流すことを特徴とする表示装置の放熱方法。
【請求項１０】
請求項９に記載の表示装置の放熱方法において、
前記表示パネルの背面側に放熱板を設けるとともに、前記放熱板に気体を流すための第２の流路を形成し、前記パネルの背面と表面の両方に気体を流すことを特徴とする表示装置の放熱方法。
【発明の詳細な説明】
【技術分野】
【０００１】
本発明は、有機ＥＬディスプレイやプラズマディスプレイ等の表示装置の放熱構造および表示装置の放熱方法並びに表示装置に関する。
【背景技術】
【０００２】
自発光型の素子を使う有機ＥＬディスプレイやプラズマディスプレイ等の表示装置では、表示パネルに熱を持つため、表示パネルの放熱が必要である。従来、プラズマディスプレイパネル用放熱装置として、例えば特許文献１に記載された技術が知られている。この放熱装置では、所定の隙間をあけて対向配置され、一方がプラズマディスプレイパネルの背面に熱伝導性シートを介して伝熱可能に接合される２枚の伝熱板の間に、放熱フィンが設けられている。放熱フィンは凹凸形状の繰り返しにより形成されたコルゲートフィンからなり、フィン長手方向が伝熱板の長辺及び短辺に対して傾斜することにより、伝熱板の間に傾斜した通気路を形成している。また、特許文献１に記載されたプラズマ表示装置では、プラズマディスプレイパネル用放熱装置がプラズマディスプレイパネルの背面側に伝熱可能に設けられている。
【特許文献１】特開２０００−２４２１８２号公報
【発明の開示】
【発明が解決しようとする課題】
【０００３】
ところで、上記特許文献１に記載されているような従来の表示装置では、パネルの背面に設けた伝熱板或いは放熱板により放熱してパネルを冷却する構造をとっていた。そのため、パネルの冷却効果が十分ではなく、パネル温度を十分に下げることができないという問題があった。
【０００４】
本発明は、このような従来の問題点に着目してなされたもので、その目的は、表示パネルの冷却効果を高めて表示パネルの寿命を長くすることができる表示装置の放熱構造および表示装置の放熱方法並びに表示装置を提供することにある。
【課題を解決するための手段】
【０００５】
本発明における表示装置の放熱構造は、表示パネルを有する表示装置の放熱構造において、前記表示パネルの表面に第１の流路を形成する流路形成手段を備え、前記第１の流路に自然対流で或いは強制的に気体を流すように構成したことを要旨とする。
【０００６】
本発明者が実験した結果、表示パネルの表面を空冷により冷却する方が、その背面を空冷により冷却するよりも表示パネルの冷却効果が高くなることがわかった。これによれば、第１の流路に自然対流で或いは強制的に気体を流して表示パネルの表面を冷却するので、表示パネルの温度を低く抑えることができる。これにより、表示パネルの冷却効果を高めて表示パネルの寿命を長くすることができる。なお、ここにいう「表示パネルの表面」とは、表示パネルの各発光素子で発光した光が出射される側の面をいう。実験では気体として空気を用いたが、その他の気体を用いてもよい。例えば、窒素ガス、アルゴンガス或いはその他の不活性ガス等を用いることができる。
【０００７】
この表示装置の放熱構造において、前記表示パネルの背面側に放熱板を設けたことを要旨とする。これによれば、表示パネルの表面が第１の流路に流れる気体により冷却されるのに加えて、その背面が放熱板の放熱により冷却されるので、表示パネルの温度をより低く抑えることができる。これにより、表示パネルの冷却効果をさらに高めて表示パネルの寿命をさらに長くすることができる。
【０００８】
この表示装置の放熱構造において、前記放熱板に気体を流すための第２の流路を形成するとともに、前記流路形成手段が固定されて前記第１の流路を形成する通風カバーを備え、前記通風カバーは前記第１の流路に連通した前通風口と前記第２の流路に連通した後通風口とを有し、さらに、前記前通風口および後通風口から前記第１の流路および第２の流路内にそれぞれ気体を吸い込んで、前記パネルの背面と表面の両方に気体を流すファンを備えることを要旨とする。
【０００９】
これによれば、ファンにより前通風口および後通風口から第１の流路および第２の流路内にそれぞれ吸い込まれた気体により表示パネルの背面と表面の両面をそれぞれ冷却するので、表示パネルの温度をより低く抑えることができ、表示パネルの寿命をさらに長くすることができる。
【００１０】
この表示装置の放熱構造において、前記流路形成手段は、前記表示パネルの表示領域を外部に見せるための開口部と、該開口部により形成される空間の両側に開口し、前記空間と外部とをそれぞれ連通する複数の通風口とを有し、前記表示パネルの表面に固定されるパネルカバーと、前記開口部を塞ぐように前記パネルカバーの表面に固定される透明カバーとを備え、前記開口部が前記透明カバーにより塞がれて前記空間が前記第１の流路になることを要旨とする。これによれば、パネルカバーの表面に透明カバーを固定すると、パネルカバーの開口部が透明カバーにより塞がれて第１の流路になる。この第１の流路に、各空間の両側にそれぞれ連通する複数の通風口のいずれか一つから自然対流で気体が流入し、表示パネルの表面を冷却するので、表示パネルの温度を低く抑えることができ、表示パネルの寿命を長くすることができる。
【００１１】
この表示装置の放熱構造において、前記流路形成手段により形成される前記第１の流路として、互いに独立した複数の空間が形成されていることを要旨とする。これによれば、表示パネルの表面上に独立した複数の気体の流れを作ることができ、これら複数の気体の流れにより表示パネルの表面の冷却効果を高めることができる。
【００１２】
この表示装置の放熱構造において、前記流路形成手段は、矩形の環状壁部を有する筒状体で、前記環状壁部の対向する２つの壁部に吸気口がそれぞれ形成され、前記環状壁部の一方の端部が前記表示パネルの表面の周縁部に接合される通風カバーと、前記環状壁部の他方の端部に接合され、前記表示パネルの表面との間に前記環状壁部で囲まれた第１の流路を形成する透明カバーと、前記２つの壁部の一方に、該一方の壁部に形成された前記吸気口から気体を吸い込むファンと、を備えることを要旨とする。
【００１３】
これによれば、表示パネルの表面と透明カバーとの間に通風カバーの環状壁部で囲まれた第１の流路が形成される。ファンの作動により、環状壁部の対向する２つの壁部の一方に形成された吸気口側で気体を吸い込むことで、その他方の壁部の吸気口から第１の流路内に気体が吸い込まれ、第１の流路に気体が強制的に流れて表示パネルの表面が冷却される。このようにして、第１の流路にファンにより強制的に気体を流して表示パネルの表面を冷却するので、表示パネルの温度を低く抑えることができ、表示パネルの寿命を長くすることができる。
【００１４】
この表示装置の放熱構造において、前記表示パネルはエレクトロルミネッセンスパネルであることを要旨とする。これによれば、エレクトロルミネッセンスパネルの表面を冷却するので、エレクトロルミネッセンスパネルの温度を低く抑えることができ、エレクトロルミネッセンスパネルの寿命を長くすることができる。
【００１５】
本発明の表示装置は、前記の放熱構造を有するので、表示パネルの温度を低く抑えるこ
とができ、表示パネルの寿命を長くすることができる。そのため、寿命の長い表示装置を実現することができる。
【００１６】
本発明における表示装置の放熱方法は、前記表示パネルの表面と離間して対向し、前記表面との間に第１の流路を形成し、前記第１の流路に自然対流で或いは強制的に気体を流すことを要旨とする。これによれば、第１の流路に自然対流で或いは強制的に気体を流して表示パネルの表面を冷却するので、表示パネルの温度を低く抑えることができる。これにより、表示パネルの寿命を長くすることができる。
【００１７】
この表示装置の放熱方法において、前記表示パネルの背面側に放熱板を設けるとともに、前記放熱板に気体を流すための第２の流路を形成し、前記パネルの背面と表面の両方に気体を流すことを要旨とする。これによれば、表示パネルの表面が第１の流路に流れる気体により冷却されるのに加えて、その背面が放熱板の放熱により冷却されるので、表示パネルの温度をより低く抑えることができ、表示パネルの寿命をさらに長くすることができる。
【発明を実施するための最良の形態】
【００１８】
以下、本発明を具体化した各実施形態を、図面に基づいて説明する。なお、各実施形態の説明において同様の部位には同一の符号を付して重複した説明を省略する。
（第１実施形態）
第１実施形態に係る表示装置の放熱構造を図１〜図４に基づいて説明する。
【００１９】
本例で用いる表示装置１０は、エレクトロルミネッセンスパネルとして有機ＥＬパネル１１を用いた有機ＥＬディスプレイである。表示パネルとしての有機ＥＬパネル１１は、図１に示すように、自発光型のエレクトロルミネッセンス素子としての有機ＥＬ素子２２１をそれぞれ有する複数の画素２２０がマトリクス状に配置された発光素子基板１２と、複数の画素２２０を密封するように発光素子基板１２に接合された封止基板１３とを備える。
【００２０】
発光素子基板１２上には、図１では図示を省略してあるが、陽極として機能する矩形状の画素電極がマトリクス状に形成されており、各画素電極上に、例えば、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により、各画素２２０の有機ＥＬ素子２２１が構成されている。なお、図１では複数の画素２２０のうちの一つのみを示してある。
【００２１】
また、発光素子基板１２上には、電源線、データ線、走査線、および制御信号線を含む複数の配線の端子部（図示省略）が形成されている。この端子部には、フレキシブル配線基板１６上に形成された電源線、データ線、および制御信号線を含む複数の配線の端子部がそれぞれ電気的に接続されている。
【００２２】
表示装置１０は、図１に示すように、有機ＥＬパネル１１の表面１１ａとの間に第１の流路１７（図４参照）を形成する流路形成手段としての透明カバー１８を有する。この透明カバー１８は、有機ＥＬパネル１１の表面１１ａと離間して対向し、この表面１１ａとの間に第１の流路１７を形成する。透明カバー１８は、透過率の高いガラスの板、或いは反射防止膜が表面に成膜された透明なプラスチックの板である。
【００２３】
図１および図４に示すように、有機ＥＬパネル１１の背面（表示パネルの背面）１１ｂ側には、放熱板１９が設けられている。ここにいう「有機ＥＬパネル１１の背面」とは、
有機ＥＬパネル１１の各有機ＥＬ素子２２１で発光した光が出射される側の表面（表示パネルの表面）１１ａとは反対側の面をいう。つまり、発光素子基板１２と封止基板１３を備えた有機ＥＬパネル１１の場合には、封止基板１３の表面が有機ＥＬパネル１１の背面１１ｂである。放熱板１９には、多数の放熱フィン１９ａが立設されている。放熱板１９は、その上下の壁部１９ｂ、１９ｃの各内面を有機ＥＬパネル１１の上下の側面に固定して設けられている。なお、ここで用いた「上下」の語や、以下の説明で説明で用いる「左」、「右」、「上」、「下」の語は、有機ＥＬパネル１１の表面１１ａを正面から見た状態、つまり、図４の紙面内で下方から表示装置１０の有機ＥＬパネル１１を見た状態を基準にして付されている。
【００２４】
表示装置１０は、図１〜図３に示すように、放熱板１９に気体、例えば空気を流すための第２の流路２２（図４参照）を形成するとともに、透明カバー１８が固定されて第１の流路１７を形成する通風カバー２３を備える。通風カバー２３は、図１および図４に示すように、第１の流路１７に連通した前通風口２４と第２の流路２２に連通した後通風口２５とを有する。ここで、符号「２４」で示す通風口を前通風口とし、符号「２５」で示す通風口を後通風口と呼んでいるのは、後通風口２５と連通する第２の流路２２が、有機ＥＬパネル１１の表面１１ａ側から見て前通風口２４と連通する第１の流路１７よりも後側にあるからである。
【００２５】
通風カバー２３は、前通風口２４と後通風口２５が形成された左壁部２３ａと、上下の壁部２３ｂ、２３ｃと、後壁部２３ｄとを有し、後壁部２３ｄに対向する前壁部と左壁部２３ａに対向する右壁部とが無い箱型のカバーである。この通風カバー２３の前側は、矩形の４辺のうち右側の辺がない３つの辺からなる接合面２３ｈ（図１，図４参照）となっている。この接合面２３ｈに透明カバー１８の周縁部が接着剤で接合されている。これにより、有機ＥＬパネル１１の表面１１ａとの間に第１の流路１７を形成する流路形成手段が、通風カバー２３と透明カバー１８とにより構成されている。
【００２６】
また、通風カバー２３の右側は、矩形の４辺のうち前側の辺がない３つの辺からなる接合面２３ｆとなっている。この接合面２３ｆにより、吸気口２３ｇが形成されている。
通風カバー２３の上下の壁部２３ｂ、２３ｃは、２本の止めねじ２６を通風カバー２３の上下の壁部２３ｂ、２３ｃにそれぞれ設けられた貫通穴２３ｅに通し、放熱板１９の上下の壁部１９ｂ、１９ｃにそれぞれ設けられた２つのねじ孔１９ｄに螺合して締結することにより、放熱板１９に固定される。
【００２７】
また、表示装置１０は、前通風口２４および後通風口２５から第１の流路１７および第２の流路２２内にそれぞれ気体を吸い込んで、有機ＥＬパネル１１の背面１１ｂと表面１１ａの両方に気体を強制的に流すファン２７を備え。このファン２７は、図４に示すように、その回転軸２７ａがファンユニット２８内に設けられた軸受け３０，３１により回転可能に支持されている。図４で符号２９はファン２７用の電源ケーブルであり、符号２９ａは電源コネクタである。
【００２８】
ファンユニット２８は、通風カバー２３の接合面２３ｆと接合される矩形の接合面２８ａを有する。また、ファンユニット２８の内部は、接合面２８ａにより形成される吸気口２８ｂから吸い込んだ気体を吸気口２８ｂより小さい排気口２８ｃから排気する気体通路２８ｄとなっている。ファンユニット２８の接合面２８ａを通風カバー２３の接合面２３ｆに接合した状態を、図２〜図４で示している。なお、通風カバー２３とファンユニット２８は、発光素子基板１２に接続されたフレキシブル配線基板１６の一部が接合面２８ａと接合面２３ｆの間から外に取り出されるように固定されている。
【００２９】
以上のように構成された表示装置１０の放熱構造では、ファン２７が回転すると、ファ
ン２７により気体が引っ張られて、通風カバー２３の前通風口２４および後通風口２５から通風カバー２３内の第１の流路１７および第２の流路２２内にそれぞれ気体が吸い込まれる。第１の流路１７内に吸い込まれた気体は、第１の流路１７内を有機ＥＬパネル１１の表面１１ａに沿って流れ、その表面１１ａを冷やした後、吸気口２３ｇおよび吸気口２８ｂからファンユニット２８の気体通路２８ｄに流入し、排気口２８ｃから排出される。こうして、ファン２７により気体を第１の流路１７に強制的に流すことで、有機ＥＬパネル１１の表面１１ａが冷却され、有機ＥＬパネル１１の温度が低く抑えられる。
【００３０】
一方、第２の流路２２内に吸い込まれた気体は、第２の流路２２内を放熱板１９の多数の放熱フィン１９ａに沿って流れ、放熱板１９を冷やした後、吸気口２３ｇおよび吸気口２８ｂからファンユニット２８の気体通路２８ｄに流入し、排気口２８ｃから排出される。こうして、ファン２７により気体を第２の流路２２に強制的に流すことで、放熱板１９が放熱し、この放熱により有機ＥＬパネル１１の背面１１ｂが冷却され、有機ＥＬパネル１１の温度が低く抑えられる。
【００３１】
本発明者が実験した結果を図１１に示してある。図１１は有機ＥＬパネルの表面温度と輝度劣化の関係を示しており、横軸は有機ＥＬパネルの表面温度を、縦軸は輝度が２０％低下する時間をそれぞれ示している。また、同図において、符号Ａは有機ＥＬパネルを空冷しない場合の実験結果を、符号Ｂは同パネルの背面側をファンで空冷した場合の実験結果を、そして、符号Ｃは同パネルの背面と表面の両面をファンで空冷した場合の実験結果をそれぞれ示している。図１１のグラフから、有機ＥＬパネルの背面側をファンで空冷すると、同パネルを冷却しない場合よりも有機ＥＬパネルの温度を低く抑えることができ、輝度が２０％低下する時間で表わした有機ＥＬパネルの寿命が長くなることが判る。また、有機ＥＬパネルの背面と表面の両面をファンで空冷すると、その背面側をファンで空冷する場合よりも有機ＥＬパネルの温度をより低く抑えることができ、有機ＥＬパネルの寿命がより長くなることが判る。
【００３２】
以上のように構成された第１実施形態によれば、以下の作用効果を奏する。
○第１の流路１７にファン２７により強制的に気体を流して有機ＥＬパネル１１の表面１１ａを冷やして、その表面１１ａの熱を逃がすので、有機ＥＬパネル１１の温度を低く抑えることができる。これにより、有機ＥＬパネル１１の寿命を長くすることができる。
【００３３】
○有機ＥＬパネル１１の背面１１ｂ側に放熱板１９を設けた構成により、有機ＥＬパネル１１の表面１１ａが第１の流路１７に流れる気体により冷却されるのに加えて、その背面１１ｂが放熱板１９の放熱により冷却されるので、有機ＥＬパネル１１の温度をより低く抑えることができ、有機ＥＬパネル１１の寿命をさらに長くすることができる。
【００３４】
○ファン２７により前通風口２４および後通風口２５から第１の流路１７および第２の流路２２内にそれぞれ吸い込まれた気体により有機ＥＬパネル１１の背面１１ｂと表面１１ａの両面をそれぞれ冷却するので、有機ＥＬパネル１１の温度をより低く抑えることができ、有機ＥＬパネル１１の寿命をさらに長くすることができる。
【００３５】
○図４に示すように、有機ＥＬパネル１１の前側（表面１１ａ側）にその表面１１ａを空冷で冷却するための第１の流路１７と、同パネルの後側（背面１１ｂ側）にその背面１１ｂを空冷で冷却するための第２の流路２２とが、通風カバー２３と透明カバー１８とにより形成されるので、全体の厚さが薄い表示装置１０を実現できる。
【００３６】
図４では、放熱板１９と通風カバー２３との間に隙間があるが、前通風口２４から流入した気体と、後通風口２５から流入した気体が混ざらないように、通風カバー２３の各壁部２３ａ，２３ｂ，２３ｃの内壁と、放熱板１９とに隙間が無いように配置してもよい。
こうすることにより、前通風口２４から流入した気体と、後通風口２５から流入した気体が混ざらないために、流速を確保できるので、よりよい冷却効果がある。隙間が無いようにするためには、パッキンを用いたり、シール剤で覆ったり、変形可能な通風カバー２３を用いることで構成できる。
【００３７】
○表示装置１０は、上記のような放熱構造を有するので、有機ＥＬパネル１１の温度を低く抑えることができ、有機ＥＬパネル１１の寿命を長くすることができる。そのため、寿命の長い表示装置１０を実現することができる。
（第２実施形態）
第２実施形態に係る表示装置の放熱構造を図５〜図８に基づいて説明する。
【００３８】
本実施形態で用いる表示装置１０Ａは、移動体としての自動車等の車両のインストルメントパネルに搭載される移動体の表示モジュールとして構成したものである。
表示装置１０Ａの放熱構造は、図５に示すように、一つの細長い有機ＥＬパネル１１Ａと、このパネルの表面１１ａに固定されるパネルカバー３２と、パネルカバー３２の表面３２ａに固定される透明カバー１８Ａとを備える。
【００３９】
有機ＥＬパネル１１Ａの左右の端子部（図示省略）には、図１に示す上記フレキシブル配線基板１６と同様のフレキシブル配線基板１６Ａの各端子部がそれぞれ電気的に接続されている。この有機ＥＬパネル１１Ａは、同パネルの表示エリア内の３つの表示領域２，３，４で、図８に示すような異なる３つの画像を表示するように駆動される。
【００４０】
また、本実施形態に係る表示装置１０Ａの放熱構造では、有機ＥＬパネル１１Ａの表面１１ａとの間に第１の流路を形成する流路形成手段が、パネルカバー３２と透明カバー１８Ａとにより構成されている。この透明カバー１８Ａは、図１に示す上記透明カバー１８と同様の板である。
【００４１】
パネルカバー３２には、有機ＥＬパネル１１Ａの３つの表示領域２〜４を外部に見せるための３つの開口部（貫通孔）３３〜３５と、各開口部により形成される３つの独立した空間３３ａ，３４ａ，３５ａの両側に開口し、各空間と外部とを連通するように、各空間ごとに２つずつ、合計で６つの通風口３６ａ〜３６ｅとが形成されている。
【００４２】
パネルカバー３２の表面３２ａに透明カバー１８Ａを接着等により固定すると、３つの開口部（貫通孔）３３，３４，３５が透明カバー１８Ａにより塞がれて、３つの空間３３ａ，３４ａ，３５ａが形成される。これら３つの空間は、上記第１実施形態における第１の流路１７に相当する第１の流路になる。
【００４３】
このように、本実施形態に係る表示装置１０Ａの放熱構造では、一つの有機ＥＬパネル１１Ａの表面１１ａに気体を流すための第１の流路として、３つの独立した空間３３ａ，３４ａ，３５ａが形成されている。つまり、前記流路形成手段により形成される第１の流路が３つある。空間３３ａで形成される第１の流路には、その空間の両側に連通した２つの通風口３６ａ，３６ｂのいずれか一方から自然対流で気体が流入し、有機ＥＬパネル１１Ａの表面１１ａを冷却する。同様に、空間３４ａで形成される第１の流路には、２つの通風口３６ｃ、３６ｄのいずれか一方から自然対流で気体が流入し、有機ＥＬパネル１１Ａの表面１１ａを冷却する。また、空間３５ａで形成される第１の流路には、２つの通風口３６ｅ、３６ｆのいずれか一方から自然対流で気体が流入し、有機ＥＬパネル１１Ａの表面１１ａを冷却する。
【００４４】
移動体の表示モジュールとして構成した表示装置１０Ａが搭載された車両２０のインストルメントパネル２１を図７で示している。また、表示装置１０Ａは、例えば図８に示す
ような異なる３つの画像を表示する。この表示装置１０Ａは、真中の表示領域２で車速を表わすスピードメータの目盛り９１、数字９２および指針９３を画像表示する。また、右側の表示領域３でエンジン回転数を表示するタコメータの目盛り９４、数字９５および指針９６を画像表示し、左側の表示領域４でカーナビゲーション装置の地図情報等の画像９７を表示するようになっている。
【００４５】
以上のように構成された第２実施形態によれば、以下の作用効果を奏する。
○３つの独立した空間３３ａ，３４ａ，３５ａでそれぞれ形成される第１の流路に、各空間の両側にそれぞれ連通した２つの通風口のいずれか一方から自然対流で気体が流入し、有機ＥＬパネル１１Ａの表面１１ａを冷却するので、有機ＥＬパネル１１の温度を低く抑えることができ、有機ＥＬパネル１１の寿命を長くすることができる。
【００４６】
○有機ＥＬパネル１１Ａの表面１１ａをファンを使わずに自然対流による空冷で冷却するので、構造が簡単になり、全体の厚さを薄くすることができる。これにより、自動車等の移動体や、大型テレビ等への組み込みが容易な表示装置の放熱構造を実現できる。
【００４７】
○一つの有機ＥＬパネル１１Ａの表面１１ａに気体を流すための第１の流路として、３つの独立した空間３３ａ，３４ａ，３５ａが形成されているので、その表面１１ａ上に独立した３つの気体の流れを作ることができ、これら３つの気体の流れにより表面１１ａの冷却効果を高めることができる。
【００４８】
○パネルカバー３２の表面３２ａに透明カバー１８Ａを接着等により固定すると、３つの開口部（貫通孔）３３，３４，３５が透明カバー１８Ａにより塞がれて、３つの空間３３ａ，３４ａ，３５ａが形成される。これら３つの空間は、上記第１実施形態における第１の流路１７に相当する第１の流路になる。このため、表示装置１０Ａを、図８に示すような異なる３つの画像を表示する移動体の表示モジュールとして構成する場合、有機ＥＬパネル１１Ａの表面１１ａを冷却するための流路をデザインカバーであるパネルカバー３２と透明カバー１８Ａとで簡単に構成することができる。しかも、表示装置１０Ａの放熱構造を薄くすることができる。
【００４９】
○表示装置１０Ａは、上記のような放熱構造を有するので、有機ＥＬパネル１１Ａの温度を低く抑えることができ、有機ＥＬパネル１１Ａの寿命を長くすることができる。そのため、寿命の長い表示装置１０Ａを実現することができる。
（第３実施形態）
第３実施形態に係る表示装置の放熱構造を図９および図１０に基づいて説明する。
【００５０】
本実施形態で用いる表示装置１０Ｂの放熱構造は、図９に示すように、有機ＥＬパネル１１Ｂと、通風カバー４０と、透明カバー１８Ｂと、ファンユニット２８とを備える。有機ＥＬパネル１１Ｂには、図１に示す上記フレキシブル配線基板１６と同様のフレキシブル配線基板１６Ｂが２つ接続されている。
【００５１】
通風カバー４０は矩形の環状壁部４１を有する筒状体で、環状壁部４１の対向する２つの壁部４２，４３に吸気口４２ａ，４３ａがそれぞれ形成されている。環状壁部４１の一方の端部４１ａは、有機ＥＬパネル１１Ｂの表面１１ａの周縁部３７（図９の網掛け部）に接着剤８０により接合される。その周縁部３７は、有機ＥＬパネル１１Ｂの表示エリア３８の周囲の非表示エリア３９内にある。
【００５２】
透明カバー１８Ｂは、通風カバー４０の環状壁部４１の他方の端部４１ｂに接合され、有機ＥＬパネル１１Ｂの表面１１ａとの間に環状壁部４１で囲まれた第１の流路１７Ｂを形成する。透明カバー１８Ｂの周縁部１８ａは、環状壁部４１の他方の端部４１ｂにゴム
シール４４を押圧変形した状態で接合される（図１０参照）。
【００５３】
ファンユニット２８は、図１で説明したファンユニット２８と同様の構造を有し、内部にファン２７が設けられている。ファンユニット２８は、その接合面２８ａ（図１参照）を、ゴムシール４５を押圧変形させた状態で通風カバー４０の壁部４３に接合することで、通風カバー４０に固定される。ファン２７により、環状壁部４１の壁部４３に形成された吸気口４３ａから気体を吸い込むようになっている。この吸気口４３ａは、ファン２７の作動により多量の気体を吸気口４３ａ側で吸い込めるように吸気口４２ａよりも大きくなっている。
【００５４】
このように構成された表示装置１０Ｂの放熱構造では、有機ＥＬパネル１１Ｂの表面１１ａと透明カバー１８Ｂとの間に通風カバー４０の環状壁部４１で囲まれた第１の流路１７Ｂが形成される。ファン２７の作動により、環状壁部４１の一方の壁部４３に形成された吸気口４３ａ側で気体を吸い込まれることで、その他方の壁部４２の吸気口４２ａから第１の流路１７Ｂ内に気体が吸い込まれ、第１の流路１７Ｂに気体が強制的に流れて有機ＥＬパネル１１Ｂの表面１１ａが冷却される。
【００５５】
以上のように構成された第３実施形態によれば、以下の作用効果を奏する。
○第１の流路１７Ｂにファン２７により強制的に気体を流して有機ＥＬパネル１１Ｂの表面１１ａを冷却するので、有機ＥＬパネル１１Ｂの温度を低く抑えることができ、有機ＥＬパネル１１Ｂの表面１１ａの寿命を長くすることができる。
【００５６】
○通風カバー４０の環状壁部４１の一方の端部４１ａが有機ＥＬパネル１１Ｂの表面１１ａの周縁部３７に接合され、その他方の端部４１ｂに透明カバー１８Ｂの周縁部１８ａが接合された構成により、有機ＥＬパネル１１Ｂの表面１１ａと透明カバー１８Ｂとの間に通風カバー４０の環状壁部４１で囲まれた第１の流路１７Ｂが形成される。このような構成により、表示装置１０Ｂの放熱構造全体の厚さを薄くすることができる。これにより、自動車等の移動体や、大型テレビ等への組み込みが容易な表示装置の放熱構造を実現できる。
【００５７】
○通風カバー４０の端部４１ｂと透明カバー１８Ｂの周縁部１８ａとの接合部にはゴムシール４４が、通風カバー４０の壁部４３とファンユニット２８の接合面２８ａとの接合部にはゴムシール４５が、それぞれ押圧変形した状態で介在している。これにより、第１の流路１７Ｂ内に流れる気体が、それらの接合部から漏れるのが抑制されるので、有機ＥＬパネル１１Ｂの表面１１ａの冷却効果を高めることができる。
【００５８】
○表示装置１０Ｂは、上記のような放熱構造を有するので、有機ＥＬパネル１１Ｂの温度を低く抑えることができ、有機ＥＬパネル１１Ｂの寿命を長くすることができる。そのため、寿命の長い表示装置１０Ｂを実現することができる。
【００５９】
（表示装置の放熱方法）
次に、本発明を具体化した表示装置の放熱方法の各実施形態を説明する。
第１実施形態に係る表示装置の放熱方法を図１〜図４に基づいて説明する。
【００６０】
この表示装置の放熱方法の特徴は、次の点にある。
・有機ＥＬパネル１１の表面１１ａと離間して対向し、その表面１１ａとの間に第１の流路１７を形成し、第１の流路１７にファン２７により強制的に気体を流す。
【００６１】
・有機ＥＬパネル１１の背面１１ｂ側に放熱板１９を設けるとともに、放熱板１９に気体を流すための第２の流路２２を形成し、有機ＥＬパネル１１の背面１１ｂと表面１１ａ
の両方に気体を流す。
【００６２】
第１実施形態に係る表示装置の放熱方法によれば、以下の作用効果を奏する。
○第１の流路１７に強制的に気体を流して有機ＥＬパネル１１の表面１１ａを冷却するので、有機ＥＬパネル１１の温度を低く抑えることができ、表示パネルの寿命を長くすることができる。
【００６３】
○有機ＥＬパネル１１の表面１１ａが第１の流路１７に流れる気体により冷却されるのに加えて、その背面１１ｂが放熱板１９の放熱により冷却されるので、有機ＥＬパネル１１の温度をより低く抑えることができ、表示パネルの寿命をさらに長くすることができる。
【００６４】
第２実施形態に係る表示装置の放熱方法を図５および図６に基づいて説明する。
この表示装置の放熱方法の特徴は、次の点にある。
・有機ＥＬパネル１１Ａの表面１１ａと離間して対向し、その表面１１ａとの間に第１の流路１７Ａを形成し、第１の流路１７Ａに自然対流で気体を流す。
【００６５】
・有機ＥＬパネル１１Ａの表面１１ａに気体を流すための第１の流路１７Ａとして、３つの独立した空間３３ａ，３４ａ，３５ａを形成した。
第２実施形態に係る表示装置の放熱方法によれば、以下の作用効果を奏する。
【００６６】
○第１の流路１７Ａに自然対流で気体を流して有機ＥＬパネル１１Ａの表面１１ａを冷却するので、有機ＥＬパネル１１Ａの温度を低く抑えることができ、有機ＥＬパネルの寿命を長くすることができる。
【００６７】
○第１の流路１７Ａとして、３つの独立した空間３３ａ，３４ａ，３５ａが形成されているので、有機ＥＬパネル１１Ａの表面１１ａ上に独立した３つの気体の流れを作ることができ、これら３つの気体の流れにより表面１１ａの冷却効果を高めることができる。
【００６８】
第３実施形態に係る表示装置の放熱方法を図９に基づいて説明する。
この表示装置の放熱方法の特徴は、次の点にある。
・有機ＥＬパネル１１Ｂの表面１１ａと離間して対向し、その表面１１ａとの間に第１の流路１７Ｂを形成し、第１の流路１７Ｂにファンにより強制的に気体を流す。
【００６９】
第３実施形態に係る表示装置の放熱方法によれば、以下の作用効果を奏する。
○第１の流路１７Ｂに強制的に気体を流して有機ＥＬパネル１１Ｂの表面１１ａを冷却するので、有機ＥＬパネル１１Ｂの温度を低く抑えることができ、有機ＥＬパネルの寿命を長くすることができる。
【００７０】
なお、この発明は以下のように変更して具体化することもできる。
・上記各実施形態では、表示パネルとして、有機ＥＬディスプレイに用いる有機ＥＬパネル１１，１１Ａ，１１Ｂを一例として説明したが、放電を用いた蛍光型のプラズマディスプレイに用いる表示パネル、電子放出素子を用いたディスプレイ（ＦＥＤ）やＳＥＤ（Surface−Conduction  Electron−Emitter  Display）に用いる表示パネルにも本発明は
適用可能で、上記各実施形態と同様の効果を得ることができる。
【００７１】
・図１に示す上記第１実施形態に係る表示装置の放熱構造では、ファン２７を使って第１の流路１７と第２の流路２２の両方に気体を強制的に流すようにしているが、ファン２７を使わずに第１の流路１７と第２の流路２２の両方に気体を自然対流で流すようにした構成にも本発明は適用可能である。
【００７２】
・図５に示す上記第２実施形態に係る表示装置の放熱構造では、有機ＥＬパネル１１Ａは、表示エリア内の３つの表示領域２，３，４で、図８に示すような異なる３つの画像を表示するように駆動される。本発明は、これに限定されず、自動車等の車両のインストルメントパネルに搭載される表示モジュールで、スピードメータ、タコメータ、カーナビゲーション装置の地図画面等の異なる態様の画像をそれぞれ表示する複数の有機ＥＬパネルを備えた移動体の表示モジュールにも適用可能である。
【００７３】
・図１〜図４に基づいて説明した第１実施形態に係る表示装置の放熱方法では、第１の流路１７にファン２７により強制的に気体を流すようにしているが、ファン２７を用いずに、第１の流路１７に自然対流で気体を流すようにしてもよい。
【００７４】
・本発明は、上記各実施形態に係る表示装置の放熱方法に限らず、有機ＥＬパネルの表面と離間して対向し、その表面との間に第１の流路を形成し、第１の流路に自然対流で或いは強制的に気体を流す表示装置の放熱方法に広く適用可能である。
【図面の簡単な説明】
【００７５】
【図１】第１実施形態に係る表示装置の放熱構造を示す分解斜視図。
【図２】同表示装置の放熱構造を示す平面図。
【図３】図２の側面図。
【図４】第１実施形態に係る表示装置を示す縦断面図。
【図５】第２実施形態に係る表示装置の放熱構造を示す分解斜視図。
【図６】図５のＸ−Ｘ線に沿った断面図。
【図７】第２実施形態に係る表示装置が搭載された車両の車室内部を示す斜視図。
【図８】同表示装置による異なる３つの画像の表示状態を示す説明図。
【図９】第３実施形態に係る表示装置の放熱構造を示す分解斜視図。
【図１０】図９のＹ−Ｙ線に沿った断面図。
【図１１】有機ＥＬパネルの表面温度と輝度劣化の関係を示すグラフ。
【符号の説明】
【００７６】
２，３，４…表示領域、１０，１０Ａ，１０Ｂ…表示装置、１１ａ…表面、１１ｂ…背面、１７，１７Ａ，１７Ｂ…第１の流路、１８，１８Ａ，１８Ｂ…透明カバー、１８ａ，３７…周縁部、１９…放熱板、４２，４３…壁部、２２…第２の流路、２３，４０…通風カバー、４２ａ，４３ａ…吸気口、２４…前通風口、２５…後通風口、２７…ファン、３２…パネルカバー、３３，３４，３５…開口部、３３ａ，３４ａ，３５ａ…空間、３６ａ，３６ｂ，３６ｃ，３６ｄ，３６ｅ，３６ｆ…通風口、４１…環状壁部、４１ａ，４１ｂ…端部。
【図１】
2006227465.tif 000003
【図２】
2006227465.tif 000004
【図３】
2006227465.tif 000005
【図４】
2006227465.tif 000006
【図５】
2006227465.tif 000007
【図６】
2006227465.tif 000008
【図７】
2006227465.tif 000009
【図８】
2006227465.tif 000010
【図９】
2006227465.tif 000011
【図１０】
2006227465.tif 000012
【図１１】
2006227465.tif 000013